(57)【特許請求の範囲】
【請求項１】
発光素子アレイが固定されたブラケットと、
前記ブラケットが固定され、光学部材を支持するボトムカバーと、
前記ボトムカバーのエッジに具備され、前記ボトムカバー上に複数のレイヤー（Layer）を着脱式に固定する複数の固定部を含む一体型の固定部材と、を含み、
前記一体型の固定部材に含まれる第１固定部の側面及び上面はフラットであり、前記第１固定部の下部から前記第１固定部の上部までの断面積は、線形的に増加し、前記第１固定部の高さは、前記光学部材の厚さよりも大きく、
前記一体型の固定部材に含まれ、前記第１固定部の上面に形成される第２固定部は、前記第１固定部よりも小さい断面積を有する、バックライトユニット。
【請求項２】
前記光学部材は、前記固定部材が挿入されるホールを具備する、請求項１に記載のバックライトユニット。
【請求項３】
前記光学部材は、反射板、導光板及び光学シートのうち少なくとも一つである、請求項１又は２に記載のバックライトユニット。
【請求項４】
前記固定部材は、垂直方向の断面が逆台形である、請求項１ないし３のいずれかに記載のバックライトユニット。
【請求項５】
前記逆台形の一辺の傾斜は、水平面に対して６０〜８０°である、請求項４に記載のバックライトユニット。
【請求項６】
前記固定部材は、一辺は水平面に対して垂直をなし、他の一辺は前記水平面に対して傾いている、請求項１ないし５のいずれかに記載のバックライトユニット。
【請求項７】
前記固定部材は、一辺は水平面に対して垂直をなし、他の一辺の傾斜は水平面に対して６０〜８０°をなす、請求項１ないし６のいずれかに記載のバックライトユニット。
【請求項８】
前記固定部材の上面及び下面は平行である、請求項１ないし７のいずれかに記載のバックライトユニット。
【請求項９】
発光素子アレイが固定されたブラケットと、
前記ブラケットが固定され、光学部材を支持するボトムカバーと、
前記ボトムカバーのエッジに具備され、複数のレイヤー（Layer）を着脱式に固定する一体型の第１固定部及び第２固定部と、を含み、
前記第１固定部は前記光学部材のエッジに形成されたホールに挿入され、前記第１固定部の下部から前記第１固定部の上部までの断面積は、線形的に増加し、
前記第１固定部の上面に形成され前記第１固定部より小さい断面積を有する前記第２固定部はトップカバーに挿入され、
前記第１固定部の高さは、前記光学部材の高さと、前記光学部材と前記トップカバーとの間の距離と、の和よりも大きいか又は同一である、バックライトユニット。
【請求項１０】
前記第１固定部と前記第２固定部は、一体型として形成される、請求項９に記載のバックライトユニット。
【請求項１１】
前記ボトムカバーと接する部位において前記第１固定部の幅が最も小さいことを特徴とする、請求項９又は１０に記載のバックライトユニット。
【請求項１２】
前記第１固定部は、垂直方向の断面が逆台形である、請求項９ないし１１のいずれかに記載のバックライトユニット。
【請求項１３】
前記逆台形の一辺の傾斜は、水平面に対して６０〜８０°である、請求項１２に記載のバックライトユニット。
【請求項１４】
前記第１固定部の一辺は水平面に対して垂直をなし、他の一辺の傾斜は水平面に対して６０〜８０°をなす、請求項１２に記載のバックライトユニット。
【請求項１５】
前記第１固定部の断面積は、前記第２固定部の断面積よりも広いか又は同一である、請求項９ないし１４のいずれかに記載のバックライトユニット。
【請求項１６】
前記第１固定部と前記第２固定部は、一方の端が一直線をなす、請求項９ないし１５のいずれかに記載のバックライトユニット。
【請求項１７】
発光素子アレイが固定されたブラケット、及び前記ブラケットが固定され、光学部材を支持するボトムカバーを含んでなるバックライトユニットと、
前記光学部材上に具備され、投射された光によって画像を具現するパネルと、
前記ボトムカバーの第１エッジに具備され、複数のレイヤー（Layer）を固定する一体型の第１固定部材と、
前記ボトムカバーの第２エッジに具備され、前記複数のレイヤー（Layer）を固定する一体型の第２固定部材と、を含み、
前記第１固定部材及び前記第２固定部材の各々の下部の断面積は、前記第１固定部材及び前記第２固定部材の各々の上部の断面積と異なり、前記第１固定部材及び前記第２固定部材の各々の高さは、前記光学部材の厚さよりも大きく、
前記第１固定部材及び前記第２固定部材の各々は、前記光学部材の厚さより大きい高さを有する第１固定部と、該第１固定部の上面に形成され該第１固定部よりも小さい断面積を有する第２固定部と、を含み、
前記第１固定部の下部から前記第１固定部の上部までの断面積は、線形的に増加する、表示装置。
【請求項１８】
前記第１固定部材及び前記第２固定部材の各々の下部の断面積は、前記第１固定部材及び前記第２固定部材の各々の上部の断面積よりも小さいか又は同一である、請求項１７に記載の表示装置。
【請求項１９】
前記第１固定部材及び前記第２固定部材は、垂直方向の断面が逆台形である、請求項１８に記載の表示装置。
【請求項２０】
前記第１固定部は前記光学部材に挿入され、前記第２固定部はトップカバーに挿入される、請求項１７ないし１９のいずれかに記載の表示装置。
【発明の詳細な説明】
【技術分野】
【０００１】
実施例は、発光素子が具備されたバックライト及びこれを含む表示装置に関するものである。
【背景技術】
【０００２】
半導体の３-５族または２-６族化合物半導体物質を用いた発光ダイオード（Ligit Emitting Diode）やレーザーダイオードのような発光素子は、薄膜成長技術及び素子材料の開発によって赤色、緑色、青色及び紫外線などの様々な色を具現することができ、蛍光物質を利用したり、色を組み合わせることで効率の良い白色光線も具現可能であり、蛍光灯、白熱灯などの既存の光源に比べて低消費電力、半永久的な寿命、速い応答速度、安全性、環境親和性の長所を有する。
【０００３】
したがって、光通信手段の送信モジュール、ＬＣＤ（Liquid Crystal Display）表示装置のバックライトを構成する冷陰極管（CCFL：Cold Cathode Fluorescence Lamp）を代替する発光ダイオードバックライト、蛍光灯や白熱電球を代替することができる白色発光ダイオード照明装置、自動車のヘッドライト及び信号灯にまで応用が拡大されている。
【発明の概要】
【発明が解決しようとする課題】
【０００４】
実施例の目的は、発光素子が具備されたバックライトの締結構造を容易にすることにある。
【課題を解決するための手段】
【０００５】
実施例は、発光素子アレイが固定されたブラケットと、前記ブラケットが固定され、光学部材を支持するボトムカバーとを含んでなり、前記ボトムカバー上には前記光学部材を着脱式に固定する固定部材が具備され、前記固定部材の下部の断面積は、前記固定部材の上部の断面積よりも小さいか又は同一である、バックライトユニットを提供する。
【０００６】
ここで、前記光学部材は、前記固定部材が挿入されるホールが具備されることができる。
【０００７】
そして、前記光学部材は、反射板、導光板及び光学シートのうち少なくとも一つであると良い。
【０００８】
そして、前記固定部材は、垂直方向の断面が逆台形であると良い。
【０００９】
そして、前記逆台形の一辺の傾斜は、水平面に対して６０〜８０°であると良い。
【００１０】
そして、前記固定部材は、一辺は水平面に対して垂直をなし、他の一辺は前記水平面に対して傾くことができる。
【００１１】
そして、前記固定部材は、一辺は水平面に対して垂直をなし、他の一辺の傾斜は水平面に対して６０〜８０°をなすことができる。
【００１２】
また、前記固定部材の上面と下面はフラットであると良い。
【００１３】
他の実施例は、発光素子アレイが固定されたブラケットと、前記ブラケットが固定され、光学部材を支持するボトムカバーとを含み、前記ボトムカバー上には前記光学部材を着脱式に固定する固定部材が具備され、前記固定部材は少なくとも２個の固定部を含み、第１固定部は前記光学部材に挿入され、第２固定部はトップカバーに挿入される、バックライトユニットを提供する。
【００１４】
ここで、前記第１固定部と前記第２固定部は、一体型であると良い。
【００１５】
そして、前記第１固定部の高さは、前記光学部材の高さと、前記光学部材及びトップカバー間の距離との和よりも大きいか又は同一であると良い。
【００１６】
そして、前記ボトムカバーと接する部位において前記第１固定部の幅が最も小さいことができる。
【００１７】
そして、前記第１固定部は、垂直方向の断面が逆台形であると良い。
【００１８】
そして、前記逆台形の一辺の傾斜は、水平面に対して６０〜８０°であると良い。
【００１９】
そして、前記第１固定部の一辺は水平面に対して垂直をなし、他の一辺の傾斜は水平面に対して６０〜８０°をなすことができる。
【００２０】
そして、前記第１固定部の断面積は、前記第２固定部の断面積よりも広いか又は同一であると良い。
【００２１】
そして、前記第１固定部と前記第２固定部は、一方の端が一直線をなすことができる。
【００２２】
また他の実施例は、発光素子アレイが固定されたブラケット、及び前記ブラケットが固定され、光学部材を支持するボトムカバーを含んでなるバックライトユニットと、
前記光学部材上に具備され、投射された光によって画像を具現するパネルと、を含み、
前記ボトムカバー上には前記光学部材を着脱式に固定する固定部材が具備され、前記固定部材の下部の断面積は、前記固定部材の上部の断面積と異なる、表示装置を提供する。
【発明の効果】
【００２３】
実施例による発光素子が具備されたバックライト及び表示装置は、光学シートの締結が容易である。
【図面の簡単な説明】
【００２４】
【図１】表示装置の一実施例の分解斜視図である。
【図２】図１の表示装置の発光素子モジュール部分の断面図である。
【図３Ａ】図１のボトムカバーと光学部材の第１実施例を示す図である。
【図３Ｂ】図３Ａの実施例の締結状態を示す図である。
【図４Ａ】図１のボトムカバーと光学部材の第２実施例を示す図である。
【図４Ｂ】図４Ａの実施例の締結状態を示す図である。
【図４Ｃ】図４Ａの実施例の他の締結状態を示す図である。
【図５Ａ】図１のボトムカバーと光学部材の第３実施例を示す図である。
【図５Ｂ】図５Ａの実施例の締結状態を示す図である。
【図６Ａ】図１のボトムカバーと光学部材の第４実施例を示す図である。
【図６Ｂ】図６Ａの実施例の締結状態を示す図である。
【図７Ａ】図１のボトムカバーと光学部材の第５実施例を示す図である。
【図７Ｂ】図７Ａの実施例の締結状態を示す図である。
【図８Ａ】図１のボトムカバーと光学部材の第６実施例を示す図である。
【図８Ｂ】図８Ａの固定部材の構造を詳細に示す図である。
【図９Ａ】図１のボトムカバーと光学部材の第７実施例を示す図である。
【図９Ｂ】図９Ａの固定部材の締結状態を示す図である。
【図９Ｃ】図９Ａの固定部材の締結状態を示す図である。
【発明を実施するための形態】
【００２５】
以下、上記の目的を具体的に実現できる本発明の好適な実施例を、添付の図面を参照して説明する。
【００２６】
上記の各実施例の説明において、各層（膜）、領域、パターン、または各構造物が、基板、各層（膜）、領域、パッド、またはパターンの「上（on）」又は「下（under）」に形成されることと記載される場合において、「上」と「下」は、「直接（directly）」又は「他の層を介在して（indirectly）」形成されることを全て含む。また、各層の上または下に対する基準は、図面に基づいて説明する。
【００２７】
図面で各層の厚さや大きさは、説明の便宜及び明確性のために誇張されたり、省略されたり、又は概略的に図示されている。また、各構成要素の大きさは実際の大きさを全的に反映するものではない。
【００２８】
図１は、表示装置の一実施例の分解斜視図である。
【００２９】
図１に示すように、表示装置の一実施例は、ボトムカバー１０（Bottom cover）と、前記ボトムカバーの内部の一側に設けられる発光素子パッケージモジュール（図示せず）と、前記ボトムカバー１０の前面に配置される反射板２０と、前記反射板２０の前方に配置され、前記発光モジュールから発散される光を表示装置の前方に案内する導光板３０と、前記導光板３０の前方に配置される光学シート４０と、前記光学シート４０の前方に配置される液晶表示パネル６０と、前記液晶表示パネル６０の前方に設けられるトップカバー７０（Top cover）と、前記ボトムカバー１０と前記トップカバー７０との間に配置され、前記ボトムカバー１０と前記トップカバー７０を共に結合する結合部材５１、５２、５３、５４と、を含むことができる。
【００３０】
前記導光板３０は、前記発光モジュール（図示せず）から放出される光が面光源の形態で出射されるように案内する役割をし、前記導光板３０の後方に配置される反射板２０は、前記発光素子パッケージモジュール（図示せず）から放出された光を前記導光板３０の方向に反射させ、光効率を高める役割をする。
【００３１】
ただし、前記反射板２０は、本図面のように別途の構成要素として設けられることもでき、導光板３０の後面や前記ボトムカバー１０の前面に反射率の高い物質でコーティングされる形態で設けられることも可能である。
【００３２】
ここで、反射板２０は、反射率が高く、超薄型で使用可能な素材を使用することができ、ポリエチレンテレフタルレート（PolyEthylene Terephtalate；PET）を使用することができる。
【００３３】
そして、導光板３０は、発光素子パッケージモジュールから放出される光を散乱させて、その光が液晶表示装置の画面の全領域にわたって均一に分布されるようにする。したがって、導光板３０は、屈折率と透過率の良い材料からなり、ポリメチルメタアクリレート（PolyMethylMethAcrylate；PMMA）、ポリカーボネート（PolyCarbonate；PC）、又はポリエチレン（PolyEthylene；PE）などで形成されることができる。
【００３４】
そして、光学シート４０は、前記導光板３０の上部に具備され、導光板３０から出射される光を所定の角度で拡散させる。光学シート４０は、前記導光板３０によって導かれた光を液晶表示パネル６０の方向に均一に照射させる。
【００３５】
光学シート４０としては、拡散シート４１、プリズムシート４２又は保護シート４３などの光学シートを選択的に積層したり、マイクロレンズアレイ（図示せず）を使用することもできる。このとき、複数個の光学シートを使用することもでき、光学シートは、アクリル樹脂、ポリウレタン樹脂又はシリコン樹脂などの透明樹脂からなることができる。そして、上述したプリズムシート内に蛍光シートが含まれることもできる。
【００３６】
そして、前記光学シート４０の前面には液晶表示パネル６０が具備されることができる。ここで、液晶表示パネル６０の他に、光源を必要とする他の種類の表示装置が具備されることができる。
【００３７】
液晶表示パネル６０は、ガラス基板の間に液晶が位置し、光の偏光性を利用するために偏光板を両ガラス基板に載せた状態となっている。ここで、液晶は、液体と固体の中間的な特性を持ち、液体のように流動性を有する有機分子である液晶が結晶のように規則的に配列された状態を有するもので、前記分子配列が外部電界により変化される性質を利用して画像を表示する。
【００３８】
表示装置に使用される液晶表示パネルは、アクティブマトリックス（Active Matrix）方式であって、各画素に供給される電圧を調節するスイッチとしてトランジスタを使用する。
【００３９】
具体的な液晶表示パネルの構成は、従来と同一であるので省略する。
【００４０】
そして、前記液晶表示パネル６０の前面にはカラーフィルタ（図示せず）が具備され、前記液晶表示パネル６０から投射された光を、それぞれの画素ごとに赤色と緑色及び青色の光のみを透過するので、画像を表現することができる。
【００４１】
図２は、図１の表示装置の発光素子モジュール部分の断面図である。
【００４２】
図２に示すように、ボトムカバー１０上には前記反射板２０が置かれて、前記反射板２０の上には前記導光板３０が置かれることになる。そして、前記反射板２０は前記放熱部材１１と直接接触されることができる。前記放熱部材１１は、ボトムカバー１０とブラケット１２との間に配置されることができる。
【００４３】
前記ブラケット１２は、「Ｌ」字の形状で具備され、前記ブラケット１２の一方部１２ｂに前記発光モジュール８０が付着され、前記ブラケット１２の他方部１２ａは前記放熱部材１１と面接触することができる。
【００４４】
図３Ａは、図１のボトムカバーと拡散シートの第1実施例を示す図であり、図３Ｂは、図３Ａの実施例の締結状態を示す図である。
【００４５】
図３Ａに示すように、ボトムカバー１０上には前記拡散シート４１を着脱式に固定する固定部材１０ａが具備されている。具体的に、ボトムカバー１０の各辺に前記ボトムカバー１０と垂直の方向に四角形状の固定部材１０ａが具備されている。
【００４６】
そして、前記拡散シート４１のエッジ上にはホール４１ａが形成されるが、それぞれの辺に少なくとも一つのホール４１ａが形成されることができる。ここで、前記ボトムカバー１０上の固定部材１０ａが前記拡散シート４１のエッジのホール４１ａに挿入され、前記ボトムカバー１０と前記拡散シート４１を結合することができる。
【００４７】
上述のように、前記ボトムカバー１０と前記拡散シート４１を着脱式に結合することができ、前記ボトムカバー１０上の固定部材１０ａの個数は、前記拡散シート４１のエッジのホール４１ａの個数と同じであってもよく、少なくてもよい。
【００４８】
図３Ａでボトムカバー１０上に拡散シート４１を挿入して固定する構成が示されているが、拡散シート４１の他に、反射板２０、導光板３０、プリズムシート４２、保護シート４３及びマイクロレンズアレイ等がいずれも前記拡散シート４１のような構成で前記ボトムカバー１０に挿入／固定されることができ、以下では、上述した拡散シート４１、反射板２０、導光板３０、プリズムシート４２、保護シート４３及びマイクロレンズアレイなどを光学部材と総称する。
【００４９】
そして、図３Ｂで拡散シート４１は、固定部材１０ａと間隔を置いて挿入されており、熱膨張によって拡散シート４１が膨脹される場合に備えて間隔を置くことができ、他の各実施例においても同一である。
【００５０】
図４Ａは、図１のボトムカバーと拡散シートの第２実施例を示す図であり、図４Ｂは、図４Ａの実施例の締結状態を示す図である。図示のように、ボトムカバー１０上には、前記拡散シート４１を着脱式に固定する固定部材１０ｂが具備されている。具体的に、ボトムカバー１０の各辺に前記ボトムカバー１０と垂直の方向に四角形状の固定部材１０ｂが具備されている。
【００５１】
図４Ａで矩形の短い辺にはそれぞれ２個の固定部材１０ｂが、長い辺にはそれぞれ３個の固定部材１０ｂが具備されているが、前記拡散シート４１を固定するためのものであるので、それぞれの辺に少なくとも一つの固定部材１０ｂが具備されることができる。
【００５２】
ここで、図３Ａに示された実施例と異なって、前記固定部材１０ｂの側面と上面はフラット（flat：平坦）であり、前記ボトムカバー１０と接触する前記固定部材１０ｂの下部の断面積は、前記固定部材１０ｂの上部の断面積よりも小さい。すなわち、前記ボトムカバー１０と接する部分で最も幅が狭い逆台形の形状をしている。したがって、図４Ｂで前記固定部材１０ｂの幅は、前記ボトムカバー１０と接する部分での幅Ｗ１が最も狭く、最上端での幅Ｗ２が最も広い。
【００５３】
そして、前記拡散シート４１のエッジ上にはホール４１ａが形成されるが、それぞれの辺に少なくとも一つのホール４１ａが形成されることができる。ここで、前記ボトムカバー１０上の固定部材１０ｂが前記拡散シート４１のエッジのホール４１ａに挿入されて、前記ボトムカバー１０と前記拡散シート４１を結合することができる。
【００５４】
上述のように、前記ボトムカバー１０と前記拡散シート４１を着脱式に結合することができ、前記ボトムカバー１０上の固定部材１０ａの個数は、前記拡散シート４１のエッジのホール４１ａの個数と同じであってもよく、少なくてもよい。
【００５５】
図３Ａに示された構造と異なって、本実施例による拡散シート４１は、ボトムカバー１０上の固定部材１０ｂの構造によって容易に離脱されない。すなわち、取扱過程でバックライトユニットや表示装置の上下が逆転されて運搬されたりする場合にも、固定部材１０ｂの上述した構造によって、拡散シート４１とボトムカバー１０の締結構造が持続されることができる。
【００５６】
図４Ｃは、図４Ａの実施例の他の締結状態を示す図である。図４Ｃに示したように、固定部材１０ｂは、前記ボトムカバー１０上に別個の構成物からなる。そして、他の実施例においても、固定部材とボトムカバーは一体型、または、別個の構成物からなることができる。
【００５７】
固定部材１０ｂの下部の断面積は、前記固定部材１０ｂの上部の断面積よりも小さいか又は同一であっても良い。前記固定部材１０ｂの下部は前記固定部材１０ｂの上部よりもボトムカバー１０により近い。
【００５８】
そして、前記固定部材１０ｂの下部の断面の長さＷ１は、前記固定部材１０ｂの上部の断面の長さＷ２よりも小さいか又は同一であっても良い。
【００５９】
本実施例で、拡散シート４１とボトムカバー１０の締結構造を説明したが、上述した締結構造が、反射板２０や導光板３０又は光学シート４０内の他のシート、例えばプリズムシート４２、保護シート４３及びマイクロレンズアレイシートに適用され得ることは、上述した通りであり、以下の各実施例においても同一である。
【００６０】
そして、前記ホール４１ａの幅は、締結手段として使用するために前記固定部材１０ｂの下端の幅よりも広くなければならない。前記ホール４１ａは示されたように、前記拡散シート４１のエッジ方向に前記拡散シート４１と並べて形成された突出部の内に形成されることができる。
【００６１】
図４Ａに示された断面図で、固定部材１０ｂが前記拡散シート４１に形成されたホール４１ａに挿入されるとき、前記拡散シート４１に形成されたホールの幅は、前記固定部材１０ｂの下辺の幅よりは広いか又は同一であり、上辺の幅よりは小さい。このとき、前記拡散シート４１に形成されたホールの幅が、前記固定部材１０ｂの上辺の幅より小さくても、前記拡散シート４１に形成されたホールの一方から前記固定部材１０ｂを挿入すると結合／締結が可能である。
【００６２】
図５Ａは、図１のボトムカバーと拡散シートの第３実施例を示す図であり、図５Ｂは、図５Ａの実施例の締結状態を示す図である。
【００６３】
本実施例は、図４Ａに示された実施例と基本的に類似しているが、ボトムカバー１０上に設けられた固定部材が２個の固定部で具備されることができる。このとき、前記ボトムカバー１０と隣接した部分を第１固定部１０ｃと言い、前記第１固定部から出発した部分を第２固定部１０ｃ’と言う。すなわち、前記第１固定部１０ｃは、前記拡散シート４１が挿入される部分であり、前記第２固定部１０ｃ’は、トップカバーが挿入される部分である。
【００６４】
ここで、前記第１固定部１０ｃの断面積は、前記第２固定部１０ｃ’の断面積より広いか又は同一にすることができ、図示のように、第１固定部１０ｃは逆台形の形状で具備され、第２固定部１０ｃ’は矩形ないし正方形の形状で具備されることができる。このとき、前記第１固定部１０ｃは前記拡散シート４１に挿入されて固定されて、前記第２固定部１０ｃ’はトップカバー７０に挿入されて固定されることができる。ここで、挿入されて固定されるとは、前記拡散シート４１又はトップカバー７０のエッジに具備されたホールに前記ボトムカバー１０の固定部材が挿入されることを意味する。
【００６５】
すなわち、第１固定部１０ｃが拡散シート４１の固定部材の機能をし、前記第２固定部１０ｃ’は、トップカバー７０を固定させる機能をすることができる。そして、前記第１固定部１０ｃの高さは、前記第１固定部１０ｃに締結されるそれぞれの光学部材の厚さを合わせたものと同一であったり、より大きくなければならないが、この点については図６Ｂを参照して後述する。そして、図５Ｂに示されたように、前記第１固定部１０ｃの高さは、前記第１固定部１０ｃに締結される拡散シート４１の厚さＴと同一であったり、より大きくなければならなく、前記第２固定部１０ｃ’の高さは、トップカバー７０の厚さよりも小さいか又は同一であってもよい。すなわち、ボトムカバー１０上に前記固定部材の第１固定部１０ｃを通じて拡散シート４１が締結され、一定の距離ｔ１を置いて第２固定部１０ｃ’にトップカバー７０が締結される。前記第１固定部１０ｃの高さは、拡散シート４１の厚さと距離ｔ１との和よりも小さいか又は同一であってもよい。
【００６６】
したがって、前記距離ｔ１によって前記トップカバー７０が拡散シート４１を押圧しないように作用することができる。
【００６７】
図６Ａは、図１のボトムカバーと拡散シートの第４実施例を示す図であり、図６Ｂは、図６Ａの実施例の締結状態を示す図である。
【００６８】
本実施例は、図５に示された実施例と同様に、ボトムカバー１０上に設けられた固定部材が２個の固定部で具備される。ただし、図５とは異なって、ボトムカバー１０上の第１固定部１０ｄと、第２固定部１０ｄ’がいずれも矩形ないし正方形の形状で具備されることができる。そして、前記第１固定部１０ｄは前記拡散シート４１を締結し、前記第２固定部１０ｄ’はトップカバーを締結することができることは、上述した通りである。
【００６９】
そして、図６Ｂに示されたように、前記第１固定部１０ｄの厚さは、前記第１固定部１０ｄに締結される光学部材の厚さを合せたものと同一であったり、より大きくなければならなく、前記第２固定部１０ｄ’の高さは、トップカバー７０の厚さよりも小さいか又は同一であっても良い。すなわち、ボトムカバー１０上に前記固定部材の第１固定部１０ｄを通じて光学部材４１、４２、４３が締結され、一定の距離t1を置いて第２固定部１０ｄ’にトップカバー７０が締結される。そして、前記第１固定部１０ｄの断面積は、第２固定部１０ｄ’の断面積よりも大きいか又は同一であっても良い。
【００７０】
したがって、前記距離ｔ２によって前記トップカバー７０が光学部材４１、４２、４３を押圧しないように作用することができる。ここで、前記第１固定部１０ｄに締結される光学部材は、図示された３個のレイヤー（Layer）の他に、反射板や導光板を含むこともできる。
【００７１】
図７Ａは、図１のボトムカバーと拡散シートの第５実施例を示す図であり、図７Ｂは、図７Ａの実施例の締結状態を示す図である。
【００７２】
本実施例は、図６Ａ及び図６Ｂに示された実施例と同様に、ボトムカバー１０上に設けられた固定部材が２個の固定部で具備される。ただし、図６とは異なって、ボトムカバー１０上の第１固定部１０ｅの一方の辺と第２固定部１０ｅ’の一方の辺が同一線上に具備されることができる。このとき、前記第１固定部１０ｅは前記拡散シート４１を締結し、前記第２固定部１０ｅ’はトップカバーを締結することができることは、上述した通りである。
【００７３】
すなわち、ボトムカバー１０上に前記固定部材の第１固定部１０ｅを通じて拡散シート４１が締結され、一定の距離ｔ３を置いて第２固定部１０ｅ’にトップカバー７０が締結されることができるので、拡散シート４１とトップカバー７０との上述した作用を予防することができ、ボトムカバー１０上の固定部材の構造が、図６に示された実施例より簡単であり、ボトムカバーの製造の際、特に射出成形などの工程に有利である。
【００７４】
図７Ｂで、前記第１固定部１０ｅが拡散シート４１に挿入され、具体的には、前記拡散シート４１のエッジのホール（図７Ａの４１ａ）に前記第１固定部１０ｅが挿入されることができる。
【００７５】
そして、熱膨張によって拡散シート４１が膨脹される場合に備えて、前記拡散シート４１と間隔を置いて前記第１固定部１０ｅが挿入されて締結／結合されることができる。ここで、トップカバーに前記第２固定部１０ｅ’が挿入されて締結されることができる。また、前記第１固定部１０ｅの高さが前記拡散シート４１の厚さよりも、さらに高いので距離が形成されて、前記トップカバー７０が拡散シート４１を押圧しないように作用することができることも、上述した通りである。
【００７６】
図８Ａは、図１のボトムカバーと拡散シートの第６実施例を示す図である。
【００７７】
図８Ａに示された構造は、基本的に図４に示された構造と類似しているが、ボトムカバー１０上の固定部材１０ｆの一方の辺のみが逆台形の形状をしている。すなわち、前記固定部材１０ｆの一方の辺のみが逆台形の形状をしていても、拡散シート４１の離脱を防止することができ、また、ボトムカバー１０の射出成形などの工程に有利である。
【００７８】
図８Ｂは、図８Ａの固定部材の構造を詳細に示す図である。
【００７９】
図示のように、固定部材の一方の辺はボトムカバー１０に対して垂直であり、他の一方の辺のみが所定の角度をなす。ここで、前記所定の角度θは、６０〜８０°であり得る。仮りに、角度が８０°より大きいと光学部材の離脱を抑制するのに充分でなく、６０°より小さいと光学部材の着脱のために形成されたホールの大きさが非常に大きくならなければならない問題点が生じ得る。
【００８０】
前記固定部材の高さｈは、締結される光学部材の厚さの和と同一であったり、所定の距離を置くことができる。また、図９でt4＝ｔａｎθ×ｈから求めることができる。また、図９で前記固定部材の幅は、前記ボトムカバー１０と接する部分での幅Ｗ３が最も狭く、最上端での幅Ｗ４が最も広い。
【００８１】
図９Ａは、図１のボトムカバーと光学部材の第７実施例を示す図であり、図９Ｂ及び図９Ｃは、図９Ａの固定部材の締結状態を示す図である。
【００８２】
本実施例で、ボトムカバー１０上に固定部材１０ｈが配置され、前記固定部材１０ｈには、フック状の固定部１０ｈ’が形成されている。ここで、前記固定部１０ｈ’は逆台形の形状である。
【００８３】
したがって、前記固定部１０ｈ’は、光学部材４０が振動や外部の衝撃によっても前記ボトムカバー１０から分離されることを防止できる。そして、前記固定部１０ｈ’は、前記光学部材４０の前記ボトムカバー１０への組み立てを容易にする。
【００８４】
ここで、前記光学シート４０は、拡散シート４１とプリズムシート４２及び保護シート４３を含むことができる。そして、図示されたように、前記ボトムカバー１０から前記固定部１０ｈ’までの距離は、前記光学シート４０の厚さに所定の距離t5を加えたものと同一である。
【００８５】
したがって、上述した所定の距離ｔ１によって前記ボトムカバー１０と固定部１０ｈ’から前記光学部材４０に過度な圧力が作用しないようにすることができる。
【００８６】
そして、図９Ｂに示された実施例では、固定部１０ｈ’が固定部材１０ｈの中間に配置されているが、図９Ｃに示された実施例では、固定部１０ｈ’が固定部材１０ｈの上端に配置されている。
【００８７】
以上では、実施例を中心にして説明したが、これは例示に過ぎないもので、本実施例を限定するものではなく、本実施例の属する分野で通常の知識を有する者であれば本実施例の本質的な特性を逸脱しない範囲で以上で例示していない多様な変形と応用が可能であることが分かるだろう。例えば、実施例に具体的に示した各構成要素は、変形して実施することができる。そして、このような変形と応用と関連した各差異点は、添付の特許請求の範囲で規定する本実施例の範囲に含まれるものと解釈すべきである。
【産業上の利用可能性】
【００８８】
実施例によるバックライトは表示装置などに使用されることができる。
【図１】
0006012935.tif 000002
【図２】
0006012935.tif 000003
【図３Ａ】
0006012935.tif 000004
【図３Ｂ】
0006012935.tif 000005
【図４Ａ】
0006012935.tif 000006
【図４Ｂ】
0006012935.tif 000007
【図４Ｃ】
0006012935.tif 000008
【図５Ａ】
0006012935.tif 000009
【図５Ｂ】
0006012935.tif 000010
【図６Ａ】
0006012935.tif 000011
【図６Ｂ】
0006012935.tif 000012
【図７Ａ】
0006012935.tif 000013
【図７Ｂ】
0006012935.tif 000014
【図８Ａ】
0006012935.tif 000015
【図８Ｂ】
0006012935.tif 000016
【図９Ａ】
0006012935.tif 000017
【図９Ｂ】
0006012935.tif 000018
【図９Ｃ】
0006012935.tif 000019